(57)【特許請求の範囲】
【請求項１】
矯正光学系を駆動して所期する特性の光学系を検査窓に配置する自覚式屈折力測定装置と、多数の視標組に分割された視標を被検眼に切換え呈示する視標呈示手段と、他覚式屈折力測定装置により測定した被検眼の測定データを入力する入力手段と、を備える検眼装置において、前記入力手段により入力された測定データに基づいて自覚検査時の前記自覚式屈折力測定装置の初期設定値を定め，矯正光学系を駆動する矯正光学系制御手段と、装置が持つ検眼プログラムの実行に従って所定の視標を被検者に呈示する視標制御手段であって，前記検眼プログラムの実行による自覚検査開始に先立って他覚矯正値確認検査を行うための視標呈示手段の初期の呈示視標として、測定データの信頼性の確認や視機能異常の確認に必要な最低視力値として０．５の視力値を含み、１．０より小さい複数の視力値からなる視標組の視力表を、自覚検査開始信号に基づいて被検者に呈示する視標制御手段と、を備えたことを特徴とする検眼装置。
【請求項２】
矯正光学系を駆動して所期する特性の光学系を検査窓に配置する自覚式屈折力測定装置と、多数の視標組に分割された視標を被検眼に切換え呈示する視標呈示手段と、他覚式屈折力測定装置により測定した被検眼の測定データを入力する入力手段と、を備える検眼装置において、前記入力手段により入力された測定データに基づいて自覚検査時の前記自覚式屈折力測定装置の初期設定値を定め、矯正光学系を駆動する矯正光学系制御手段と、装置が持つ検眼プログラムの実行に従って所定の視標を被検者に呈示する視標制御手段であって，前記検眼プログラムの実行による自覚検査開始に先立って他覚矯正値確認検査を行うための視標呈示手段の初期の呈示視標として、測定データの信頼性の確認や視機能異常の確認に必要な最低視力値として０．５の視力値を含み、１．０より小さい３段階の視力値からなる視標組の視力表を、自覚検査開始信号に基づいて被検者に呈示する視標制御手段と、視力表の中の視標を選択的に呈示するために視力表の一部をマスクするマスクを持ち、被検者の左右眼により縦マスクの位置を変えるマスク手段と、を備えたことを特徴とする検眼装置。
【発明の詳細な説明】
【０００１】
【産業上の利用分野】
本発明は、被検眼の視機能を検査する検眼装置に関する。
【０００２】
【従来の技術】
眼鏡レンズやコンタクトレンズを処方するための検査では、矯正光学系を検査窓に切換え配置する自覚式屈折力測定装置を備えた検眼装置が使用される。被検眼には自覚式屈折力測定装置の光学系を介して検査視標を観察させ、被検者の応答に基づき光学系を調節して屈折力を検査している。
自覚式屈折力測定装置による検査を始めるに際し、他覚式眼屈折力測定装置による他覚値デ−タやレンズメ−タによる眼鏡デ−タに基づき光学系を初期設定することは、検査を効率的かつ精度良く行う上で有効であり、現在はこの方法が広く普及している。
ところで、他覚値デ−タに基づいて光学系を初期設定する場合、その他覚値デ−タの信頼性等を確認するための他覚矯正値確認検査を行うことがある。この検査では、視力値１．０の視標を呈示してこれを判読できるかの確認を行っていた。判読できれば他覚値デ−タの信頼性は高く、被検眼にも弱視等の視機能異常がないと判断し次の検査に進む。判読できないときは、呈示する視標を視力値０．９→０．８→０．７…と下げていき、どこまで判読可能かを調べていた。
【０００３】
【発明が解決しようとする課題】
しかしながら、他覚矯正値確認検査を視力値１．０の視標呈示から始めると、
矯正視力が片眼で１．０以上確保できない被検者も多いことから、視標の視力値を下げることが必要な場合も少なくない。この場合は、検査時間が長くなるという問題があった。
また、視力値１．０の視標はその後の矯正視力検査等で多く使用され、この段階で１．０の視標を使用すると被検者が視標を覚えてしまうことがある。殊に、
異なった視力値の視標列を持ち、マスクにより被検者が判読する視標を特定する構成の視力表の場合、左右眼それぞれに同一視標列の視標を呈示すると、記憶されやすい。
本発明は、上記問題点に鑑み、検査時間を短縮し、記憶による検査の誤りを防止する検眼装置を提供することを技術課題とする。
【０００４】
【課題を解決するための手段】
上記課題を解決するために、本発明は次のような構成を有することを特徴とする。
（１）  矯正光学系を駆動して所期する特性の光学系を検査窓に配置する自覚式屈折力測定装置と、多数の視標組に分割された視標を被検眼に切換え呈示する視標呈示手段と、他覚式屈折力測定装置により測定した被検眼の測定データを入力する入力手段と、を備える検眼装置において、前記入力手段により入力された測定データに基づいて自覚検査時の前記自覚式屈折力測定装置の初期設定値を定め，矯正光学系を駆動する矯正光学系制御手段と、装置が持つ検眼プログラムの実行に従って所定の視標を被検者に呈示する視標制御手段であって，前記検眼プログラムの実行による自覚検査開始に先立って他覚矯正値確認検査を行うための視標呈示手段の初期の呈示視標として、測定データの信頼性の確認や視機能異常の確認に必要な最低視力値として０．５の視力値を含み、１．０より小さい複数の視力値からなる視標組の視力表を、自覚検査開始信号に基づいて被検者に呈示する視標制御手段と、を備えたことを特徴とする。
【０００５】
（２）  矯正光学系を駆動して所期する特性の光学系を検査窓に配置する自覚式屈折力測定装置と、多数の視標組に分割された視標を被検眼に切換え呈示する視標呈示手段と、他覚式屈折力測定装置により測定した被検眼の測定データを入力する入力手段と、を備える検眼装置において、前記入力手段により入力された測定データに基づいて自覚検査時の前記自覚式屈折力測定装置の初期設定値を定め、矯正光学系を駆動する矯正光学系制御手段と、装置が持つ検眼プログラムの実行に従って所定の視標を被検者に呈示する視標制御手段であって，前記検眼プログラムの実行による自覚検査開始に先立って他覚矯正値確認検査を行うための視標呈示手段の初期の呈示視標として、測定データの信頼性の確認や視機能異常の確認に必要な最低視力値として０．５の視力値を含み、１．０より小さい３段階の視力値からなる視標組の視力表を、自覚検査開始信号に基づいて被検者に呈示する視標制御手段と、視力表の中の視標を選択的に呈示するために視力表の一部をマスクするマスクを持ち、被検者の左右眼により縦マスクの位置を変えるマスク手段と、を備えたことを特徴とする。
【０００９】
【実施例】
以下、本発明の一実施例を図面に基づいて説明する。図１は実施例である検眼装置の全体構成を示す外観図である。
１は被検者と検者の間に配置される検眼テ−ブルである。２は自覚式屈折力測定装置であり、自覚式屈折力測定装置２は種々の光学素子を検眼窓に切換え配置する。
３は測定用指標を被検眼眼底に投影し眼底の投影指標像を受光手段で検出して眼屈折力を測定する他覚式眼屈折力測定装置である。この他覚式眼屈折力測定装置３は、検眼テ−ブル１上をスライド可能な移動トレイに載置されており、自覚検眼に先立つ他覚検査時に検眼テ−ブル１の中央位置に移動して、測定を実行する。
４は検査視標を呈示する投影式の視標呈示装置である。５は自覚式屈折力測定装置２及び投影式視標呈示装置４を操作するためのコントロ−ラ、６は各装置の通信中継を行うリレ−ユニットである。
【００１０】
図２はコントロ−ラ５を上から見た図である。
３０は検眼情報を表示するディスプレイであり、ディスプレイ３０には種々の情報を切替え表示できるようにドットマトリックス画面を使用している。
３１はスイッチ部であり、スイッチ部３１には、ディスプレイ３０の表示画面をメニュ−画面に切り替えるメニュ−スイッチ３２、表示画面上に表示されたカ−ソルを移動する２つのカ−ソル移動スイッチ３３、実行スイッチ３４、自覚式屈折力検査装置２の光学系を駆動する補助レンズスイッチ群３５、測定モ−ド切換スイッチ群３６、測定眼指定スイッチ群３７、数値入力に使用するスイッチやノブスイッチを持つ入力スイッチ群３８、他のスイッチと組み合わせて使用するシフトスイッチ３９、視標呈示装置４を駆動する視標スイッチ群４０、プログラム検眼を実行するスタ−トスイッチ４１ａやプログラム送りスイッチ４１ｂなどを持つプログラム実行スイッチ群４１、ディスプレイ３０の画面下方の所定位置に表示される情報に対応するファンクションスイッチ群４２、視標にマスクをかけるスイッチ群４３が配置されている。
【００１１】
図３は装置の制御を説明するためのブロック図である。
コントロ−ラ５のスイッチ部３１からのスイッチ信号は、所定の処理が施された後にマイクロコンピュ−タ回路５０に入力される。マイクロコンピュ−タ回路５０には検眼プログラム等の制御プログラムを記憶したメモリ５１と、他覚値デ−タ等を記憶するメモリ５２が接続されている。マイクロコンピュ−タ回路５０はスイッチ信号をメモリ５１に記憶されたプログラムに基づき各種デ−タに変換し、表示回路５３を介してディスプレイ３０の画面を制御する。
また、マイクロコンピュ−タ回路５０は、スイッチ信号をマイクロコンピュ−タ回路５５を介して、自覚式屈折力検査装置２及び視標呈示装置４に送る。マイクロコンピュ−タ回路６０は、駆動回路６１を介してモ−タ６２を駆動し、弱球面ディスク６３、強球面ディスク６４、補助レンズディスク６５、クロスシリンダ−ディスク６６等を回転させ、所定の光学系を検査窓に配置する。マイクロコンピュ−タ回路７０は、駆動回路７１を介してランプ７２を点灯すると共に、駆動回路７３を介しモ−タ７４を駆動し、視標が描かれた視標ディスク７５、マスクディスク７６を回転して、所定の検査視標を被検眼の前方に置かれた図示なきスクリ−ンに投影する。
【００１２】
マイクロコンピュ−タ回路５５には、他覚式眼屈折力測定装置３やレンズメ−タ９が接続され、送られてくる測定デ−タをメモリ５６に格納する。マイクロコンピュ−タ回路５０から読み出し指令信号が入力されると、マイクロコンピュ−タ回路５５は指定された測定デ−タをメモリ５６から読み出し、コントロ−ラ５側に転送する。
５７は測定結果を出力するプリンタであり、５８はその駆動回路である。
【００１３】
以上のような構成の装置において、その動作を説明する。ここでは本装置が持つプログラム検眼を実行した場合の手順（図４のフロ−チャ−ト参照）に基づき、自覚検査の最初に行う他覚矯正値確認検査を中心に説明する。
検査を開始するに際し、検者は必要に応じて検眼のプログラムの設定を行う。
プログラムの設定は、ディスプレイ３０の表示を見ながら、スイッチを操作して行う。画面上に表示されるメニュ−項目画面（図示せず）をカ−ソル移動スイッチ３３と実行スイッチを操作してセット画面（図示せず）を開く。セット画面上に表示される選択設定項目をスイッチ３３等で所望のものを選択し、実行スイッチを押して入力を完了する。
【００１４】
他覚式眼屈折力測定装置３を使用した他覚検査、問診を行った後、スタ−トスイッチ４１ａを押すことにより検眼のプログラムを開始する。プログラム検眼は裸眼視力検査からスタ−トし、その後は送りスイッチ４１ｂを押すことによって、前眼鏡視力検査（前眼鏡を所持しているとき）、自覚検査、処方値決定の順に進行させる。
他覚式眼屈折力測定装置３により左右眼のＳＰＨ（球面度数）、ＣＹＬ（乱視度数）、ＡＸＩＳ（乱視軸角度）の各他覚値デ−タが得られたら、他覚式眼屈折力測定装置３のプリントスイッチを押すことにより、これらのデ−タをリレ−ユニット６のメモリ５６に記憶する。その後、コントロ−ラ５の入力スイッチ、他覚値スイッチを押すことにより、メモリ５６に記憶したデ−タをコントロ−ラ５側のメモリ５２の他覚値メモリエリアに転送する。
また装置は、他覚値デ−タをメモリ５２の自覚値メモリエリアにコピ−し、ディスプレイ３０には表示回路５３を介して他覚値デ−タを表示する（図示せず）。
なお、他覚値デ−タの入力は通信によるデ−タ転送の他、測定モ−ド切換スイッチ群３６、入力スイッチ群３８の操作により手入力で行ってもよい。
【００１５】
検者は、検眼プログラムをスタ−トして裸眼視力検査を行う。ディスプレイ３０の表示画面は裸眼測定モ−ドに切替わり、裸眼視力値が入力可能になる。視標呈示装置４は所定の視力値を持つ検査視標を呈示し、検者は視標スイッチ群４０及びスイッチ群４３の視標マスクスイッチで呈示視標を変更することにより裸眼視力を得る。この場合、被検眼の眼前から自覚式屈折力検査装置２を除いても良いし、自覚式屈折力検査装置２の検査窓の片眼を開口、他眼を遮蔽にしても良い。
裸眼視力検査の終了後、送りスイッチ４１ｂを押すと表示画面には眼鏡有無を確認する旨のメッセ−ジと、眼鏡有無によるファンクションスイッチ群４２のスイッチ操作の指示が表示される。この指示に従い、眼鏡有りのファンクションスイッチを押すと、眼鏡視力検査を行うための眼鏡測定モ−ドに切替わる（眼鏡無しのときは自覚検査に進む）。
【００１６】
眼鏡視力検査を行うときは眼鏡デ−タを入力する。眼鏡デ−タは他覚値デ−タと同様にレンズメ−タ９からデ−タ転送によりメモリ５６に記憶させ、その後入力スイッチ、眼鏡スイッチを押すことによりメモリ５２の眼鏡メモリエリアに記憶する（他覚値デ−タと同じ様に、通信によるデ−タ転送の他、入力スイッチ群３８の操作による手入力で行ってもよい）。眼鏡視力検査は眼鏡を装用させた被検者に対して、裸眼視力検査と同様にして、検査を行う（自覚式屈折力検査装置２の検査窓の片眼を前眼鏡の度数のレンズ、他眼を遮蔽にしても良い）。
【００１７】
続いて自覚検査に移る。本装置は自覚検査開始時の自覚式屈折力測定装置２の初期値を他覚値デ−タに対応したものにするか、あるいは前眼鏡値デ−タに対応したものにするかを画面で予め選択できるようになっている。以下は他覚値デ−タを選択したときについて説明する。
他覚値デ−タを選択すると、他覚値デ−タの適否等を確認する他覚矯正値確認検査に移る。検者は自覚式屈折力検査装置２を被検者の眼前に配置し、検査眼を指定して検査を行う。
装置はディスプレイ３０の表示画面を自覚測定モ−ドに切換える。図５はこのときの表示例である。中央表示部８０には自覚値メモリエリアにコピ−したデ−タ（他覚値デ−タ）が表示され、明暗反転表示された部分が変更可能であることを示している。左右表示部８１には他覚値デ−タが表示され、下方表示部８２には現在呈示している視標種類や操作説明などのメッセ−ジが表示される。
【００１８】
装置は自覚式屈折力検査装置２の検査窓に自覚値メモリエリアにコピ−したデ−タ（他覚値デ−タ）に対応した光学系を配置するとともに、視標呈示装置４に検査視標を呈示させる。呈示する視標は、例えば、視力値０．５〜０．７の視標組を有する視標である（図６参照）。他覚矯正値確認検査は、左右眼の他覚値デ−タの信頼性や被検眼に弱視等の視機能異常がないかを確認するために行うが、本装置はこの確認に必要な最低視力値を持つ視標を呈示する。本実施例では最低視力値を０．５としているが、これは自覚検査でのレッド・グリ−ン検査で視標内部の数字が判読できる視力値であり、視力値０．５の視標さえ判読できないときには、他覚式眼屈折力測定装置３の再測定や被検眼が弱視等により精密検査を要することを意味するからである。
【００１９】
さらに装置は、この視力値０．５〜０．７の視標組の視力表に縦マスクをかけ、検査眼の左右により縦マスクの位置を変更する。右眼指定の時には、例えば、図６の（ａ）に示すようにマスクがけにより、左縦列の視標を呈示し、左眼指定の時には（ｂ）に示すように右縦列の視標を呈示する。もちろんスイッチ群４３のマスクスイッチにより、マスク位置を変えることもできる。
この視標呈示において、検者は「この視標を上から順に読んで下さい」のように被検者に質問し、このうち視力値０．５の視標が最低限判読できれば前述した理由により、他覚値デ−タは信頼でき、弱視等の異常がないものとして他覚矯正値確認検査を終える。
【００２０】
片眼の他覚矯正値確認検査の終了後、検者は送りスイッチを押すことにより、レッド・グリ−ン検査、乱視軸検出検査、乱視度数検出検査、過矯正防止のためのレッド・グリ−ン検査等を行い、完全矯正値を得る。同様に、他眼の他覚矯正値確認検査を行う。前述したように他覚矯正値確認検査では、前眼のものとは異なる視標にマスクをかける。
検者はプログラムされた所定の自覚検査を行い、処方値を決定する。すべての検査が終了したら、プリントスイッチを押して検査結果を出力する。
【００２１】
【発明の効果】
以上説明したように、本発明によれば、他覚矯正値確認検査に際して他覚測定値の信頼性や視機能異常の確認に必要な最低視力値の視標を最初に呈示するので、検査時間を短縮することができる。
また、使用頻度の高い視力値１．０付近の視標を呈示する必要がないので、視標の記憶防止ができる。
さらに、右眼と左眼の指定に応じて初期呈示視標を変更するので、検者はスイッチ操作をせずに異なる視標を呈示することができ、記憶に基づく判読を防止して検査精度の向上を図ることができる。
【図面の簡単な説明】
【図１】実施例である検眼装置の全体構成を示す外観図である。
【図２】コントロ−ラを上から見た図である。
【図３】装置の制御を説明するためのブロック図である。
【図４】本装置が持つプログラム検眼を説明するフロ−チャ−ト図である。
【図５】他覚矯正値確認検査のときの表示画面例を示す図である。
【図６】他覚矯正値確認検査のときの呈示視標の例を示す図である。
【符号の説明】
２  自覚式屈折力測定装置２
４  投影式視標呈示装置４
３  他覚式眼屈折力測定装置
３６  測定モ−ド切換スイッチ群
５０，６０，７０  マイクロコンピュ−タ回路
【図１】
0003946277.tif 000002
【図２】
0003946277.tif 000003
【図３】
0003946277.tif 000004
【図４】
0003946277.tif 000005
【図５】
0003946277.tif 000006
【図６】
0003946277.tif 000007